(57)【要約】【課題】写真に焼き付けられる日時が正確かつ改ざん不可能なカメラを提供する。【解決手段】媒体に年月日及び時刻ならびに位置を焼き付ける機能を有するカメラＣであって、年月日及び時刻を計数する時計Ｃ３が、太陽電池３を電源とする水晶時計１と、時刻コードが重畳された標準電波を受信して年月日及び時刻を計数し、水晶時計２による時刻誤差を修正する、同じく太陽電池３を電源とする電波時計２とを有する。また、年月日及び時刻ならびに位置が改ざん不可能とされている。【選択図】  図１
2006098698.tif 000002
【特許請求の範囲】
【請求項１】
媒体に年月日及び時刻ならびに位置を焼き付ける機能を有する撮像装置であって、前記年月日及び時刻を計数する時計が、太陽電池を電源とする水晶時計と、時刻コードが重畳された標準電波を受信して年月日及び時刻を計数し、前記水晶時計による時刻誤差を修正するとともに太陽電池を電源とする電波時計とを有し、前記位置を計測するＧＰＳを有し、かつ前記年月日及び時刻ならびに位置が改ざん不可能であることを特徴とする撮像装置。
【請求項２】
前記媒体に、当該撮像装置を特定するＩＤマーク又は認証マークを焼き付ける機能をさらに有することを特徴とする請求項１記載の撮像装置。
【発明の詳細な説明】
【技術分野】
【０００１】
本発明は、戸建住宅、マンションなどの各種住宅の新築・改修履歴を記録する住宅カルテに用いて好ましい改ざん防止カメラ・ビデオその他の撮像装置に関する。
【背景技術】
【０００２】
近年、欠陥住宅が社会問題の一つとなっているが、これは住宅を購入する際に購入者がその住宅に関する新築・改修履歴を知ることができないのが主な原因である。特に建売住宅の場合には住宅が完成した後に購入契約を結ぶので、基礎部分、床下、壁内部、天井及び屋根といった部分の構造やそこに使用されている材料を目視で確認することはできない。
【０００３】
そこで、住宅の新築から改修に至る履歴を記録して管理するシステムが提案されている（特許文献１，２）。このシステムでは、ある特定の住宅の新築・改修履歴を記録した住宅カルテを用いることで、建売住宅や中古住宅であっても、その住宅カルテを参照するこことで、目視できない部分の構造や使用材料を確認することができ、誤って欠陥住宅を購入することが未然に防止できる。
【０００４】
ところで、上述した住宅カルテを作成するには住宅の新築・改修履歴を写真（静止画及び動画を含む。以下同じ。）に撮り、これを編集するが、その際に撮影日時を各写真に記録する必要がある。そして、この撮影日時は住宅カルテの重要な情報の一つであることから、改ざんされることのない、かつ正確な絶対日時でなければならない。
【０００５】
しかしながら、従来市販されている日付機構付きカメラやビデオには、必ず日付を自由に変え得る日時調節機能が付いており、これを用いて正確な日時に合わせたりすることができるようになっているので、この日時調節機能を悪用すれば、上述した住宅カルテ用写真の撮影日時を改ざんすることができる。したがって、写真の信頼性を高めることが住宅カルテの実用化に不可欠である。
【特許文献１】特開２００４−７０８１１号公報
【特許文献２】特開２００４−７０８１２号公報
【発明の開示】
【０００６】
本発明は、写真に焼き付けられる日時及び位置が正確かつ改ざん不可能な撮像装置を提供することを目的とする。
上記目的を達成するための本発明に係る撮像装置は、媒体に年月日及び時刻ならびに位置を焼き付ける機能を有する撮像装置であって、年月日及び時刻を計数する時計が、太陽電池を電源とする水晶時計と、時刻コードが重畳された標準電波を受信して年月日及び時刻を計数し、前記水晶時計による時刻誤差を修正する、同じく太陽電池を電源とする電波時計とを有する。また、位置を計測するためのＧＰＳを有する。そして、年月日及び時刻ならびに位置が改ざん不可能とされている。
【０００７】
本発明では、水晶時計及び電波時計の電源に太陽電池を採用しているので電池交換しなくとも時計が止まることがない。また、年月日及び時刻の計数に水晶時計を採用するが、当該水晶時計の誤差を定期的に電波時計にて修正するので、半永久的に正確な年月日及び時刻を、写真（スチールカメラやビデオとして構成した場合）や電子データ（ディジタルカメラやビデオとして構成した場合）などの媒体に焼き付けることができる。また、ＧＰＳを有するので撮像位置、すなわち経度・緯度・高度を特定することができる。しかも、本発明の撮像装置においては、年月日及び時刻ならびに位置を手動で修正することを不可能に構成しているので、媒体に焼き付けられた年月日及び時刻ならびに位置は、いわゆる絶対時間、絶対位置として公的にも認められる信頼性の高いものとなり、特に住宅の新築・改修履歴を記録する住宅カルテに用いて好ましい改ざん防止用撮像装置として利用することができる。
【発明の実施の形態】
【０００８】
以下、本発明の実施形態を図面に基づいて説明する。  
図１は、本発明のカメラＣ(撮像装置)の実施形態を示すブロック図であり、カメラＣの筐体Ｃ１の外部に露出して日時及び位置（緯度・経度・高度）を表示する液晶表示部Ｃ２と、液晶表示部Ｃ２に表示する年月日及び時分秒のデータ計数する時計Ｃ３と、液晶表示部Ｃ２に表示する位置を計測するＧＰＳ(Global Positioning System)装置Ｃ１２と、液晶表示部Ｃ２に表示された時間データ及び位置データを示す形状を、シャッタ信号を受信したタイミングで照らす光源Ｃ４と、光源Ｃ４で照射された光を導く光路Ｃ５上に設けられたミラーＣ６やスリットＣ７などの光学系と、被写体の像Ｈを導く光路Ｃ８上に設けられたレンズＣ９と、光路Ｃ５，Ｃ８の光をコントロールするシャッタＣ１０と、を備えている。同図においてＦ０がフィルムである。
【０００９】
また、Ｃ１１は日時および位置とともに写真に焼き付けられる、このカメラＣを特定するためのＩＤマーク又は公的機関などの認証マークである。このカメラＣは、上述した住宅カルテの写真を撮影する際に用いられることから、その写真に写った日時が信頼性のある値であることを証明するためのマークである。
【００１０】
このカメラＣを用いて撮影した写真Ｆを図２に示すが、被写体Ｆ１の右下に、撮影した年月日及び時分秒Ｆ２が焼き付けられ、またその隣にこのカメラＣを特定するＩＤマークや公的認証マークＦ３が焼き付けられ、さらにその隣に撮影した位置を示す緯度、経度、及び高度（海抜）が焼き付けられている。
【００１１】
図１に戻り、本実施形態に係るＧＰＳ装置Ｃ１２は、人工衛星から発射される電波の到達時間を計測し、衛星からの距離を計算することにより自分の位置を取得するＧＰＳセンサ４と、このＧＰＳセンサ４で取得された自分、すなわち当該カメラＣの緯度、経度及び高度を表示するための位置表示器５とを有する。そして、位置表示器５（液晶表示部Ｃ２）に表示された緯度、経度及び高度を写真Ｆに焼き付けることで、その写真を撮影した場所を特定することができ、証拠としての信頼性が高まることになる。
【００１２】
なお、本実施形態のカメラＣは、ＧＰＳ装置Ｃ１２の位置調節を手動で行うことが不可能なように調節スイッチを設けず、またＧＰＳ内部の各回路を人工的に調節できないようにＧＰＳ部品を樹脂などで被覆して固化している。
【００１３】
また本実施形態に係る時計Ｃ３は、水晶時計１と、電波時計２と、これら水晶時計１及び電波時計２の電源である太陽電池３とを有する。
【００１４】
水晶時計１は、３２７６８Ｈｚの周波数を発振する発振回路を内蔵した発振器１１と、この３２７６８Ｈｚの信号を分周し、１秒の信号（秒信号）を生成する分周器１２と、この分周された秒信号を入力して時刻表示信号を生成する時分秒カウンタ１３と、この時分秒カウンタからの時刻を表示する時間表示器１４とから構成されている。なお、時分秒カウンタ１３は、後述する時間データデコード回路２０からの指示により、時分秒のデータを修正し、これを時間表示器１４に表示させる。この時間表示器１４が上述した液晶表示部Ｃ２である。
【００１５】
電波時計２は、４０ｋＨ受信回路２１、この４０ｋＨ受信回路２１に接続された時間データデコード回路２２およびアンテナ２３から構成され、時間データデコード回路２２に上述した水晶時計１の時分秒カウンタ２３が接続されている。
【００１６】
４０ｋＨ受信回路２１は、アンテナ２３で受信した電波を増幅する増幅器２１１、増幅器２１１で増幅された信号を検波する検波器２１２、検波器２１２で検波された信号からＴＴＬレベルのタイムコードＴＣ（１秒単位で送られて来る信号で、立ち上がりが時計の時間の１秒の開始に相当する）を復調する復調器２１３より構成されている。また、時間データデコード回路２２は、４０ｋＨ受信回路２１からのタイムコードＴＣから規準１秒信号とデータ信号を分離する信号検出回路２２１、制御回路２２２、バッファメモリ２２３から構成されている。
【００１７】
電源である太陽電池３は、水晶時計１の発信器２１に電圧を印加するとともに、電波時計２の制御回路に電力を供給するようにそれぞれ接続されている。
【００１８】
なお、本実施形態のカメラＣは、時計Ｃ３の時間調節を手動で行うことが不可能なように調節スイッチを設けず、また内部の各回路を人工的に調節できないように基板に実装した各部品を樹脂などで被覆して固化している。すなわち、本実施形態のカメラＣの時計Ｃ３は一度太陽電池３のスイッチを入れると二度と手動により時間調節ができない構造とされている。
【００１９】
同図に示す時計Ｃ３の動作について説明する。
【００２０】
日本においては、時刻コードを重畳した長波帯の標準電波が日本の各所から送信されているが、この標準電波には４０ｋＨｚの周波数が用いられ、６０秒を１サイクルとして１月１日からの累積日数、時、分の時刻等のデータをバイナリコードで送信している。１ヘルツの矩形パルスにより１ビットが形成され、異なるパルス幅によってデータの内容が設定されている。
【００２１】
本実施形態の時計Ｃ３において、４０ｋＨ受信回路２１は太陽電池３の電源スイッチを入れたときに動作を開始する。そして、アンテナ２３で受信した受信信号は、増幅器２１１で増幅され、この受信信号は検波器２１２で検波の後、復調器２１３によりタイムコードＴＣが復調される。タイムコードＴＣは、電波の受信強度が十分に大きく、ノイズの影響を受けない状態のときには正常に復調される。
【００２２】
次の時間データデコード回路２２において、復調器２１３から出力されるタイムコードＴＣは、時間データデコード回路２２の信号検出回路２２１に入力される。信号検出回路２２１はタイムコードＴＣをサンプリングし、立ち上がりエッジを検出して秒信号を生成すると同時に、タイムコードＴＣからデータ信号をデコードする。信号検出回路２２１は、タイムコードＴＣの立ち上がりエッジを検出した際、以下に示す判定を行い、制御回路２２２へ出力する。
【００２３】
すなわち、(1)０．８秒±５ｍ秒間ハイレベルになった後、０．２秒±５ｍ秒間ローレベルが連続したときには、「０」の判定をし、(2)０．５秒±５ｍ秒間ハイレベルになった後、０．５秒±５ｍ秒間ローレベルが連続したときには、「１」の判定をし、(3)０．２秒±５ｍ秒間ハイレベルになった後、０．８秒±５ｍ秒間ローレベルが連続したときには、「ポジション（Ｐ）」の判定をし、(4)前のデータが「ポジション（Ｐ）」で、かつ、現在のデータも０．２秒±５ｍ秒間ハイレベルで、ついで０．８秒±５ｍ秒間ローレベルが連続していれば、「マーカー（Ｍ）」の判定をし、(5)上記(1)〜(4)以外のとき、および１秒±１０ｍ秒以内に次の立ち上りエッジを検出できなかったときには、「エラー」の判定をする。
【００２４】
制御回路２２２は、信号検出回路２２１からのデータをバッファメモリ２２３に格納し、メモリアドレスポインタに１を加算する。エラーのときにはメモリアドレスポインタを０にし、最初の立ち上がりエッジを検出する状態に戻る。また、バッファメモリ２２３にデータを格納するとき、「マーカー（Ｍ）」データを検出する。この状態を最初に検出した時に、メモリアドレスをマーカーアドレスポインタに記憶する。さらに、バッファメモリ２２３にデータを格納し、その個数が「マーカー（Ｍ）」データを含めて１２０個になると、２分間連続したタイムコードＴＣを得る。途中でエラーになれば、マーカーアドレスポインタをクリアし、メモリアドレスポインタを０にし、最初の立ち上がりエッジを検出する状態に戻る。
【００２５】
バッファメモリ２２３に連続した２分間のタイムコードＴＣが格納されると、バッファメモリ２２３から、１分目と、２分目のタイムコードＴＣのデータが取り出される。この時、マーカーアドレスポインタのアドレスは一定ではないので、マーカーアドレスポインタに記憶しているアドレスをベースとし、タイムコードＴＣの秒の位置をオフセットとする。ベースとオフセットを加算することにより、１分目の分、時、パリティＰＡ１，ＰＡ２のデータをバッファメモリ２２３から取り出すことができる。２分目のデータも、マーカーアドレスポインタに記憶しているアドレスに６０を足したものをベースにすることにより、同様に取り出すことができる。
【００２６】
１分目と、２分目のタイムコードＴＣデータを比較し、分、時、ＰＡ１，ＰＡ２、のデータ以外が同じであることを確認し、かつ、分と時のデータが２分目は１分目に＋１分されていることを確認する。かつ、分と時のデータから各々パリティを計算し、１分目と２分目のＰＡ１、ＰＡ２の値と同じか否かを確認する。全てＯＫであれば受信したタイムコードＴＣは正当と見なす。タイムコードＴＣが正当な場合、前記２分目のタイムコードＴＣに＋１分した「分」、「時」のデータを用意し、次の秒信と同時に水晶時計１の表示を修正する。
【００２７】
ここで電波時計２の時間修正動作について説明する。時間データデコード回路２２の制御回路２２２により、毎正時に電波を１回受信し、内蔵の時計を修正表示することにより、表示時刻の誤差をなくする。１回の受信は、最低タイムコードＴＣ２個分（連続した２分間）で、正しいタイムコードＴＣが連続して受信できるまで受信を続ける。最長１０分間（予め組み込まれた時間）受信を続けるが、正しいタイムコードＴＣが得られなければ、時刻表示の修正は行わない。そして、内蔵の時計の次の正時に再度受信を行う。このとき、正しいタイムコードＴＣを受信できた場合、内蔵の時計の時刻を修正する。
【００２８】
また、標準電波にノイズが乗った状態で受信された場合には、時刻修正が行えなかったり、誤った時刻修正が行われたりすることになる。そこで、１サイクル以上連続して受信できなかった場合を受信エラーと見なして再受信を行う。また、２サイクル（２分間）の連続受信を行って前後の２つのサイクルを比較検査し、電波受信の信頼性のチェックを行う。更に、００秒から受信できないときには、最大１８０秒（３分間）の連続受信を行う。
【００２９】
以上のように、本実施形態の時計Ｃ３及びＧＰＳ装置Ｃ１２が内蔵されたカメラＣによれば、水晶時計１及び電波時計２の電源に太陽電池３を採用しているので電池交換しなくとも時計が止まることがない。
【００３０】
また、年月日及び時刻の計数に水晶時計１を採用するが、当該水晶時計１の誤差を定期的に電波時計２にて修正するので、半永久的に正確な年月日及び時刻を、写真などの媒体に焼き付けることができる。
【００３１】
また、ＧＰＳ装置Ｃ１２により撮影位置も写真Ｆに焼き付けるので、撮影場所の特定信頼性も高くなる。
【００３２】
しかも、本実施形態のカメラＣにおいては、年月日及び時刻ならびに位置を手動で修正することを不可能に構成しているので、フィルムに焼き付けられた年月日及び時刻ならびに位置は、いわゆる絶対時間及び絶対位置として公的にも認められる信頼性の高いものとなり、特に住宅の新築・改修履歴を記録する住宅カルテに用いて好ましい改ざん防止カメラとして利用することができる。
【００３３】
さらに、写真に焼き付けられた時間の隣に、この写真を撮影したカメラを特定するためのＩＤマークや公的認証マークも同時に焼き付けるので、証拠写真の証明容易性が著しく高くなる。
【００３４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００３５】
【図１】本発明に係るカメラの実施形態を示すブロック図である。
【図２】本発明に係るカメラで撮影した写真の一例を示す図である。
【符号の説明】
【００３６】
Ｃ…カメラ
Ｃ１…筐体
Ｃ２…液晶表示部
Ｃ３…時計
Ｃ４…光源
Ｃ５，Ｃ８…光路
Ｃ６…ミラー
Ｃ７…スリット
Ｃ９…レンズ
Ｃ１０…シャッタ
Ｃ１２…ＧＰＳ装置
Ｈ…被写体像
Ｆ…写真
Ｆ１…被写体
Ｆ２…年月日時分秒
Ｆ３…ＩＤマーク
１…水晶時計
２…電波時計
３…太陽電池
４…ＧＰＳセンサ
５…位置表示器
【図１】
2006098698.tif 000003
【図２】
2006098698.tif 000004